(57)【要約】【課題】複数の機能を備えると共に、表示手段の画面を通じた操作入力を行なうための操作入力手段を備える多機能装置において、ある機能を利用しているときに、トラブルが発生した場合には、利用できる別の機能に簡単に切り換えることができるようにする。【解決手段】利用している機能の少なくとも一部が利用できなくなったときに、利用している機能のうちの、利用できなくなった一部の機能以外の代替機能を提供するための、操作入力手段により操作入力が可能な第１の操作手段、または、利用できなくなった機能とは異なる機能を選択するための、操作入力手段により操作入力が可能な第２の操作手段と、の少なくとも一方の操作手段を、表示手段の画面に表示する。【選択図】図３
2005100228.tif 000002
【特許請求の範囲】
【請求項１】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記利用している機能のうちの、前記利用できなくなった一部の機能以外の代替機能を提供するための、前記操作入力手段により操作入力が可能な第１の操作手段と、
前記利用できなくなった機能とは異なる機能を選択するための、前記操作入力手段により操作入力が可能な第２の操作手段と、
の少なくとも一方の操作手段を、前記表示手段の画面に表示する
ことを特徴とする多機能装置における機能利用制限時の表示方法。
【請求項２】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記機能の少なくとも一部が利用できなくなった状況に関する情報を取得または保存するための処理に移行させるための操作手段であって、前記操作入力手段により操作入力が可能な操作手段を、前記表示手段の画面に表示する
ことを特徴とする多機能装置における機能利用制限時の表示方法。
【請求項３】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記機能の少なくとも一部が利用できなくなった状況を解決するための処理に移行させるための操作手段であって、前記操作入力手段により操作入力が可能な操作手段を、前記表示手段の画面に表示する
ことを特徴とする多機能装置における機能利用制限時の表示方法。
【請求項４】
請求項１〜３のいずれかに記載の多機能装置における機能利用制限時の表示方法において、
前記複数の機能の一つは、ネットワークに接続して利用する機能であり、
前記複数の機能の一部が利用できないときは、前記ネットワークに接続することができない状況である
ことを特徴とする多機能装置における機能利用制限時の表示方法。
【請求項５】
請求項４に記載の多機能装置における機能利用制限時の表示方法において、
前記ネットワークに接続して利用する機能は、Ｗｅｂブラウザ機能である
ことを特徴とする多機能装置における機能利用制限時の表示方法。
【請求項６】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、前記利用している機能のうちの、前記利用できなくなった一部の機能以外の代替機能を提供するための、前記操作入力手段により操作入力が可能な第１の操作手段、または、前記利用できなくなった機能とは異なる機能を選択するための、前記操作入力手段により操作入力が可能な第２の操作手段の少なくとも一方を前記表示手段の画面に表示するようにする手段を備える
ことを特徴とする多機能装置。
【請求項７】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、前記機能の少なくとも一部が利用できなくなった状況に関する情報を取得または保存するための処理に移行させるための操作手段であって、前記操作入力手段により操作入力が可能な操作手段を、前記表示手段の画面に表示するようにする手段を備える
ことを特徴とする多機能装置。
【請求項８】
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、前記機能の少なくとも一部が利用できなくなった状況を解決するための処理に移行させるための操作手段を前記表示手段の画面に表示するようにする手段を備える
ことを特徴とする多機能装置。
【請求項９】
請求項６〜８のいずれかに記載の多機能装置において、
前記複数の機能の一つは、ネットワークに接続して利用する機能であり、
前記複数の機能の一部が利用できないときは、前記ネットワークに接続することができない状況である
ことを特徴とする多機能装置。
【請求項１０】
請求項９に記載の多機能装置において、
前記ネットワークに接続して利用する機能は、Ｗｅｂブラウザ機能である
ことを特徴とする多機能装置。
【発明の詳細な説明】
【技術分野】
【０００１】
この発明は、複数個の機能を備える多機能装置において、特に、トラブルなどにより複数個の機能の少なくとも一部が利用できない状況になったときの表示方法に関する。
【背景技術】
【０００２】
例えば、Ｗｅｂブラウザなどのネットワークに接続して利用するアプリケーションでは、ネットワークのトラブルなどが発生した場合に、その機能が利用できないことをエラー表示画面（ウインドウ表示）を通じてユーザに報知する（例えば特許文献１（特開２００２−２７８６６３号公報）参照）。
【０００３】
このエラー表示画面には、例えば「ネットワーク接続が切断されました」など、エラーの内容が表示されるのみであり、このエラー表示画面が表示されたときには、通常は、当該Ｗｅｂブラウザのアプリケーションが提供する機能が利用できないので、エラー表示画面を閉じ、そして、Ｗｅｂブラウザのアプリケーションを終了するようにすることになる。したがって、利用ができなくなった機能以外の利用可能な機能を利用しようとする場合には、幾つかの操作を実行して、当該利用可能な機能を立ち上げて利用するようにする必要がある。
【０００４】
上記の特許文献は、次の通りである。
【特許文献１】特開２００２−２７８６６３号公報
【発明の開示】
【発明が解決しようとする課題】
【０００５】
上記のように、従来の場合、Ｗｅｂブラウザなどのアプリケーションによる機能の一部あるいは全部についてトラブルがあって、利用ができなくなったときには、エラー表示画面は表示されるものの、一旦、当該利用中のアプリケーションを終了させ、その後、利用可能な別の機能を立ち上げることにより、機能の切り換えを行なうようにしなければならない。
【０００６】
例えばパーソナルコンピュータなどの情報処理装置の場合であれば、このようなアプリケーションの切り換え（機能の切り換え）は、従来から踏襲されているので、ユーザは、違和感なく受け入れることができる。
【０００７】
しかしながら、例えば対象機器が、ＡＶ（Ａｕｄｉｏ  Ｖｉｓｕａｌ）機器などであって、複数個の機能を備える電子機器のユーザにとっては、ある機能を利用しているときに、トラブルのため当該機能が利用できなくなった場合、当該機能のアプリケーションを終了させて、別の機能のアプリケーションを立ち上げるという操作は、煩雑に感じられ、違和感を与える。
【０００８】
この発明は、以上の点にかんがみ、ある機能を利用しているときに、上述のようなトラブルが発生した場合には、次善の策がユーザに提供され、利用できる別の機能に簡単に切り換えることができるようにすることを目的とする。
【課題を解決するための手段】
【０００９】
上記の課題を解決するために、請求項１の発明は、
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記利用している機能のうちの、前記利用できなくなった一部の機能以外の代替機能を提供するための、前記操作入力手段により操作入力が可能な第１の操作手段と、
前記利用できなくなった機能とは異なる機能を選択するための、前記操作入力手段により操作入力が可能な第２の操作手段と、
の少なくとも一方の操作手段を、前記表示手段の画面に表示する
ことを特徴とする多機能装置における機能利用制限時の表示方法を提供する。
【００１０】
請求項１の発明によれば、複数の機能の一つを利用しているときに、当該利用している機能の少なくとも一部が利用できなくなったときには、利用できなくなった一部の機能以外の代替機能を提供するための、操作入力手段により操作入力が可能な第１の操作手段、または、利用できなくなった機能とは異なる機能を選択するための、操作入力手段により操作入力が可能な第２の操作手段の少なくとも一方が表示画面に表示される。
【００１１】
したがって、ユーザは、第１の操作手段または第２の操作手段を、操作入力手段を通じて操作することにより、利用できなくなった機能から、次善の策としての他の機能に簡単に切り換え操作することが可能となる。
【００１２】
また、請求項２の発明は、
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記機能の少なくとも一部が利用できなくなった状況に関する情報を取得または保存するための処理に移行させるための操作手段であって、前記操作入力手段により操作入力が可能な操作手段を、前記表示手段の画面に表示する
ことを特徴とする多機能装置における機能利用制限時の表示方法を提供する。
【００１３】
請求項２の発明によれば、複数の機能の一つを利用しているときに、当該利用している機能の少なくとも一部が利用できなくなったときには、機能の少なくとも一部が利用できなくなった状況に関する情報を取得または保存するための処理に移行させるための操作手段であって、操作入力手段により操作入力が可能な操作手段が表示画面に表示される。
【００１４】
したがって、ユーザは、この操作手段を操作入力手段を通じて操作することにより、利用できなくなった機能から、次善の策としての当該機能の少なくとも一部が利用できなくなった状況に関する情報を取得または保存するための処理に移行させることが簡単にできる。
【００１５】
また、請求項３の発明は、
複数の機能を備えると共に、表示手段の画面を通じた操作入力を行なうための操作入力手段を備える多機能装置において、
前記複数の機能の一つを利用しているときに、当該利用している機能の少なくとも一部が利用できなくなったときに、
前記機能の少なくとも一部が利用できなくなった状況を解決するための処理に移行させるための操作手段であって、前記操作入力手段により操作入力が可能な操作手段を、前記表示手段の画面に表示する
ことを特徴とする多機能装置における機能利用制限時の表示方法を提供する。
【００１６】
請求項３の発明によれば、複数の機能の一つを利用しているときに、当該利用している機能の少なくとも一部が利用できなくなったときには、機能の少なくとも一部が利用できなくなった状況を解決するための処理に移行させるための操作手段であって、操作入力手段により操作入力が可能な操作手段が表示画面に表示される。
【００１７】
したがって、ユーザは、この操作手段を操作入力手段を通じて操作することにより、利用できなくなった機能から、次善の策としての当該機能の少なくとも一部が利用できなくなった状況を解決するための処理に移行させることが簡単にできる。これにより、いわゆるトラブルシューティングを行なうことができる。
【発明の効果】
【００１８】
この発明によれば、複数の機能の一つを利用しているときに、当該利用している機能の少なくとも一部が利用できなくなったときには、次善の策として、他の利用可能な機能への切り換えなどを、表示画面に表示された操作手段を通じて簡単に行なうことができる。
【発明を実施するための最良の形態】
【００１９】
以下、この発明による多機能装置および機能利用制限時の表示方法の実施形態を図を参照しながら説明する。
【００２０】
図１は、この実施形態の多機能装置のハードウエア構成例を示すもので、この例の多機能装置は、放送受信、光ディスク記録再生、インターネット通信、などの複数個の機能を備えるものである。
【００２１】
図１に示すように、この例の多機能装置は、システムバス１に対して、ＣＰＵ（Ｃｅｎｔｒａｌ  Ｐｒｏｃｅｓｓｉｎｇ  Ｕｎｉｔ）２と、ＲＯＭ（Ｒｅａｄ  Ｏｎｌｙ  Ｍｅｍｏｒｙ）３と、ＲＡＭ(Ｒａｎｄｏｍ Ａｃｃｅｓｓ Ｍｅｍｏｒｙ)４と、テレビ放送受信部５、マルチディスクドライブ６、ネットワーク通信インターフェース７、ハードディスクドライブ（以下、ＨＤＤという）コントローラ８と、リモコン受信部９と、ＡＶ出力インターフェース１０とが接続されて構成される。
【００２２】
この例の多機能装置は、自装置には、ディスプレイやスピーカを備えず、その代わりに、ＡＶ出力端子１３を備える。ＡＶ出力インターフェース１０は、このＡＶ出力端子１３に接続され、映像出力信号および音声出力信号を、このＡＶ出力端子１３を通じて、スピーカを備えるモニターディスプレイ１４に供給するようにしている。
【００２３】
また、ＨＤＤコントローラ８には、ＨＤＤ１１が接続されており、ハードディスクへのデータの書き込み、また、ハードディスクからのデータの読み出しを行なう。
【００２４】
リモコン受信機９は、リモコン送信機１２からの、例えば赤外線リモコン信号を受信して、システムバス１に送出する。ＣＰＵ２は、システムバス１を通じてこのリモコン信号を受けて、どの操作に対応したリモコン信号であるかを判別し、判別した操作に応じた処理制御を行なうようにする。
【００２５】
この実施形態の場合、モニターディスプレイ１４の表示画面には、操作ボタンなどが表示されるようにされると共に、リモコン送信機１２に設けられている例えば上下方向や左右方向のカーソル移動キーや決定キーなどが用いられて、前記表示画面に表示された操作ボタンを選択操作することができるようにされている。
【００２６】
ＲＯＭ３には、この多機能装置における複数個の機能を実行するためのプログラムが書き込まれており、ＣＰＵ２が、ＲＡＭ４をワークエリアとして用いながら、それぞれの機能を実行するようにする。
【００２７】
また、ＲＯＭ３には、各機能実行時に、トラブルのために、当該機能を利用することができない状況が発生した場合に、機能利用制限時画面を表示し、他の機能や選択された処理に移行するためのソフトウエアプログラムも記憶されている。
【００２８】
さらに、ＲＯＭ３には、各機能実行時に、トラブルのためにエラーが発生したとき、そのときのエラー情報を取得し、保存するための処理を実行するためのプログラムや、エラーに対するトラブルシューティングを行なうためのプログラムも記憶されている。
【００２９】
テレビ放送受信部５は、アンテナ１５からの受信されたテレビ信号から、リモコン送信機１２を通じて入力されたユーザの選局操作に応じた放送番組を選択し、システムバス１に送出する。ＲＯＭ３には、このテレビ放送受信機能のためのソフトウエアプログラムが記憶されている。
【００３０】
マルチディスクドライブ６は、これに装填されるＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）などの光ディスク１６に格納されたコンテンツのデータを、当該光ディスク１６から読み出して装置に取り込む。また、ＤＶＤが書き込み可能な場合において、ＣＰＵ２から書き込み指示があるときには、マルチディスクドライブ６は、ＤＶＤに記録データを書き込む機能も備えている。ＲＯＭ３には、このＤＶＤ記録再生機能のためのソフトウエアプログラムが記憶されている。
【００３１】
ネットワーク通信インターフェース７は、通信回線に接続されており、インターネットを通じて所定のホームページにアクセスしたり、Ｗｅｂブコンテンツなどのデータをインターネット経由で取り込んだりするために用いられる。ＲＯＭ３には、インターネットなどのネットワークに接続するためのソフトウエアプログラムが記憶されていると共に、Ｗｅｂブラウザのソフトウエアプログラム（アプリケーション）が、インターネットからの情報を表示するために記憶されている。
【００３２】
ＨＤＤコントローラ８は、データ格納部としてのＨＤＤ１１へのデータの書き込みおよびこのＨＤＤ１１からのデータの読み出しを制御する。ＲＯＭ３には、その読み出し、書き込みのためのソフトウエアプログラムが記憶されている。
【００３３】
この例の多機能装置は、リモコン送信機１２を通じたユーザの機能選択操作に応じて、ＣＰＵ２が、ＲＯＭ３に記憶されているプログラムにしたがって、放送受信、光ディスク記録再生、インターネット通信などの機能を選択して、実行する。
【００３４】
［機能利用制限時の表示方法の実施形態］
そして、ある機能を選択して実行しているときに、トラブルのために当該機能の一部または全部が利用できなくなった時には、この実施形態では、ＣＰＵ２は、ＲＯＭ３に記憶されているプログラムにしたがって、次善の策となる利用可能機能をユーザが選択することができる機能利用制限時画面を生成してモニターディスプレイ１４の画面に表示させるようにする。
【００３５】
ここで、次善の策となる利用可能機能としては、トラブルのために利用中の機能の一部が利用することができなくなった場合には、
（１） 当該利用中の機能で、利用可能である代替機能
（２） 利用できなくなった機能以外の全く別の機能
（３） トラブルの原因究明に役立つエラー情報を取得・保存する機能
（４） トラブルによる問題解決のための機能（トラブルシューティング機能）
の４つの項目のいずれかがユーザにより選択可能となるようにされる。
【００３６】
また、トラブルのために利用中の機能の全部が利用できなくなったときには、上記（１）〜（４）のうちの（１）を除く（２）〜（３）の３項目が、ユーザにより選択可能となるようにされる。
【００３７】
そして、ユーザにより選択可能となるようにするために、この実施形態では、当該利用ができなくなった機能における表示画面において、前記（１）〜（４）の項目の内容のそれぞれを文字により注意表示すると共に、各項目を選択するための操作ボタンの表示がなされる。ユーザは、リモコン送信機１２を通じて、いずれかの操作ボタンを選択操作することができるように構成されている。
【００３８】
図２は、多機能装置において、ある機能を利用しているときに、トラブルが発生して、その一部または全部の機能が利用できなくなった場合における、ＣＰＵ２が実行する処理ルーチンである。
【００３９】
すなわち、ある機能を利用しているときに、トラブルの発生を検知すると、ＣＰＵ２は、図２のルーチンが起動させ、トラブルにより利用できなくなったのは、当該機能のすべてであるか、あるいは一部の機能であるかを判別する（ステップＳ１）。
【００４０】
一部の機能が利用できなくなったと判別したときには、ＣＰＵ２は、前述した（１）〜（４）の項目の内容のそれぞれを、文字により注意表示すると共に、各項目を選択するための操作ボタンを、リモコン送信機１２からの操作指示により選択可能の状態で、モニターディスプレイ１４の画面に表示するようにする（ステップＳ２）。
【００４１】
また、ステップＳ１で、当該機能のすべてが利用できなくなったと判別したときには、ＣＰＵ２は、前述した（２）〜（４）の項目の内容のそれぞれを、文字により注意表示すると共に、各項目を選択するための操作ボタンを、リモコン送信機１２からの操作指示により選択可能の状態で、モニターディスプレイ１４の画面に表示するようにする（ステップＳ３）。
【００４２】
そして、ステップＳ２およびステップＳ３の後は、ステップＳ４に進み、ＣＰＵ２は、画面に表示されたいずれかの項目に対応する操作ボタンが選択されたか否か判別し（ステップＳ４）、いずれかの操作ボタンが選択されたと判別したときには、選択された操作ボタンに対応する項目を実行する処理ルーチンに移行する（ステップＳ５）。
【００４３】
次に、具体的な表示例について、説明する。
【００４４】
図３は、Ｗｅｂブラウザを立ち上げて、ネットワーク通信インターフェース７を通じてインターネットに接続してネットワーク通信機能を利用しているときに、例えばネットワークのトラブルによりインターネットとの接続が切断されてしまった場合における機能利用制限時の表示画面である。
【００４５】
この場合、Ｗｅｂブラウザの機能は、ネットワーク接続の状態での、いわゆるオンライン状態での機能が利用できなくなったことになり、オフラインでの利用が可能であることから、機能の一部の利用ができなくなった状態に等しい。
【００４６】
この例の場合には、図３に示すように、Ｗｅｂブラウザの画面内には、「エラーが発生しています」という、トラブル発生を知らせる文字表示２０がなされると共に、前述した（１）〜（４）の項目の説明文表示２１〜２４と、それぞれの説明文表示の右端に、操作ボタン２５〜２８が表示される。
【００４７】
この例の場合、前記（１）の項目については、オンラインでの利用が不可であるがオフラインでの利用が可能であることから、「オフラインで使うには、こちらへ」の説明文表示２１が表示される。また、前記（２）の項目については、他の機能への切り換えを示すため、「ファンクションの切り換えるには、こちらへ」の説明文表示２２が表示される。また、前記（３）の項目については、「エラー情報を保存するには、こちらへ」の説明文表示２３が表示される。また、前記（４）の項目については、「トラブルシューティングするには、こちらへ」の説明文表示２３が表示される。
【００４８】
そして、前記（１）の項目に対応する操作ボタン表示２５がユーザにより選択されると、ＣＰＵ２は、それを検知して、Ｗｅｂブラウザの画面において、図４に示すように、オフラインで使用できる機能を示す文字３１，３２，３３，３４と、選択操作ボタン３５，３６，３７，３８とを表示する。ユーザが、選択操作ボタン３５〜３８のいずれかを選択操作すると、ＣＰＵ２は、当該機能を実行する。
【００４９】
また、前記（２）の項目に対応する操作ボタン表示２６がユーザにより選択されると、ＣＰＵ２は、それを検知して、Ｗｅｂブラウザの画面において、図５に示すように、切り換えられるファンクションの一覧表示４１と、各ファンクションの選択操作ボタン４２，４３，４４，・・・とを表示する。ユーザが、選択操作ボタン４２，４３，４４・・・のいずれかを選択操作すると、ＣＰＵ２は、当該ファンクション（機能）を起動して実行する。
【００５０】
また、前記（３）の項目に対応する操作ボタン表示２７がユーザにより選択されると、ＣＰＵ２は、それを検知して、Ｗｅｂブラウザの画面において、例えば図６に示すように、発生したエラーの特定に役立つであろうエラーコードの表示５１と、保存するか否かを問い合わせる表示５２がなされる。ユーザは、この保存するか否かの問合せに対して、「ＹＥＳ」または「ＮＯ」の操作ボタン５３，５４のいずれかを選択操作することにより、保存するか否かを選択することができる。
【００５１】
この場合に、エラーコードが保存された場合には、故障修理の際に、当該保存されたエラーコードが参照可能となり、便利である。また、故障修理サービスを依頼する際にも、保存したエラーコードを読み出して、故障状況の補助資料とすることができるので、適切な故障修理サービスの受け付けが可能となる。
【００５２】
また、前記（４）の項目に対応する操作ボタン表示２８がユーザにより選択されると、ＣＰＵ２は、それを検知して、Ｗｅｂブラウザの画面において、例えば図７に示すように、トラブルシューティングを実行するか否かを問い合わせる表示６１がなされる。ユーザは、この問合せに対して、「ＹＥＳ」または「ＮＯ」の操作ボタン６２，６３のいずれかを選択操作することにより、トラブルシューティングを実行するか否かを選択することができる。
【００５３】
操作ボタン「ＹＥＳ」６２が操作されて、トラブルシューティングを実行するとされた場合には、この例の場合には、ＣＰＵ２は、ＲＯＭ３に記憶されているトラブルシューティングのためのプログラムを起動して、トラブルシューティングを実行する。
【００５４】
なお、上記図４〜図７の表示例は、一例であり、これに限られるものではない。例えば、前記（４）の項目に対応する操作ボタン表示２８がユーザにより選択された場合の画面としては、トラブル発生時の問合せ先の一覧を表示するようなものであってもよい。
【００５５】
以上説明したように、この実施形態によれば、以下のような効果が得られる。
【００５６】
すなわち、代替の機能がある場合に、簡単に当該代替の機能に切り換えることができる。また、別の利用可能な機能が提供できる場合に、簡単な操作で当該別の機能に切り換えることができる。
【００５７】
問題が発生したときに表示される画面上でエラー情報の取得や保存に関する表示を行なうことができるので、エラー情報をログに残す機能が提供し易く、また、簡単な操作で、エラー情報のログを残すことができる。
【００５８】
また、別の機能の一つとしてトラブルシューティングの機能が用意されている場合には、簡単な操作で、当該トラブルシューティングの機能が呼び出されて、問題解決へ進むことができる。
【００５９】
なお、前記のネットワーク上のトラブルが、ブラウザのアプリケーションにトラブルが発生した場合であるときであって、別のブラウザが存在する場合には、前記（１）の項目の代替の機能としては、その別のブラウザを用いることであっても良い。
【００６０】
［変形例］
上述の実施形態では、操作入力手段は、赤外線リモコン送信機を用いたが、これに限られるものではなく、例えば、システムバスに操作キーインターフェースを通じて接続される操作キー群を用いることもできる。この場合、操作キー群としては、装置の筐体に設けられていてもよいし、接続ケーブルを介して接続される操作部に設けられていてもよい。
【００６１】
また、この発明は、上述のようなＡＶシステムにのみ適用されるのではなく、複数の機能を備えると共に、表示手段の画面を通じた操作入力を行なうための操作入力手段を備えるものであれば、どのような装置であってもよい。
【図面の簡単な説明】
【００６２】
【図１】この発明による多機能装置の実施形態のブロック図である。
【図２】この発明による多機能装置の実施形態の要部の動作説明のためのフローチャートである。
【図３】実施形態における表示画面の一例を示す図である。
【図４】実施形態における表示画面の一例を示す図である。
【図５】実施形態における表示画面の一例を示す図である。
【図６】実施形態における表示画面の一例を示す図である。
【図７】実施形態における表示画面の一例を示す図である。
【符号の説明】
【００６３】
２…ＣＰＵ、３…ＲＯＭ、４…ＲＡＭ、７…ネットワーク通信インターフェース、９…リモコン受信部、１２…リモコン送信部
【図１】
2005100228.tif 000003
【図２】
2005100228.tif 000004
【図３】
2005100228.tif 000005
【図４】
2005100228.tif 000006
【図５】
2005100228.tif 000007
【図６】
2005100228.tif 000008
【図７】
2005100228.tif 000009